(57)【特許請求の範囲】
【請求項１】
互いに重ね合わされ、相対的に回転する第１の板状体と第２の板状体とを備え、
前記第１の板状体には、その板面上において、月齢を表す複数の指標が、前記相対的な回転の中心と同心の円周状に配置されているとともに、単一の月の絵柄が表示され、
前記第２の板状体には、前記相対的な回転に応じた重なり度合いの変化によって、前記月の絵柄の輪郭形状を変化させる影部と、前記複数の指標のうち前記月の絵柄の輪郭形状に対応した月齢の指標を示す指示部と、が形成されていることを特徴とする月齢表示機構。
【請求項２】
前記指示部は、前記影部の一部に設けられていることを特徴とする請求項１に記載の月齢表示機構。
【請求項３】
前記指示部は開口によって形成されていることを特徴とする請求項１または２に記載の月齢表示機構。
【請求項４】
前記第１の板状体は透明部材により形成され、
前記第２の板状体は、前記第１の板状体の背面側に配置されていることを特徴とする請求項１から３のうちいずれか１項に記載の月齢表示機構。
【請求項５】
前記月の絵柄に重畳して前記月の絵柄を装飾する立体的形状または線画による装飾部が形成されている第３の板状体を備えていることを特徴とする請求項１から４のうちいずれか１項に記載の月齢表示機構。
【請求項６】
請求項１から５のうちいずれか１項に記載の月齢表示機構を備えていることを特徴とする時計。
【発明の詳細な説明】
【技術分野】
【０００１】
本発明は、月齢表示機構およびこれを備えた時計に関し、詳細には、月の満ち欠けの変化および月齢を同時に表示する月齢表示機構およびこれを備えた時計に関する発明である。
【背景技術】
【０００２】
従来、時計などに設けられ、月の満ち欠け（月相）および月齢を同時に表示する月齢表示機構が知られている。このような月齢表示機構としては、例えば、特許文献１に記載されているものがある。
【０００３】
この特許文献１に記載されている月齢表示機構は、時計の文字盤の背面側に配置される板状体を備えており、この板状体は、直線や曲線の境界線により明領域と暗領域とに分けられ、複数の明領域が円周上に配列されている。さらに、この板状体には、複数の明領域が配列された円周と同心の円周上に三角形の指標が複数配列されている。
【０００４】
また、文字盤には、明領域や暗領域が内部に現れて月の形状を表す円形開口と、複数の指標のうちの１つが現れる細長開口と、が形成され、この細長開口の周囲には月齢を表示する複数の数字が示されている。
【０００５】
このように構成された月齢表示機構によれば、板状体は、円形開口に現れる明領域を選択するための角度約４５度以上の大きな回転（主回転）と、選択された明領域のうち円形開口から現れる面積を徐々に変化させるための角度約１度〜４度の小さな回転（副回転）との組合せを繰り返して回転する。
【０００６】
そして、このような主回転と副回転との組合せが繰り返されることによって、あたかも１つの指標が細長開口内でその位置を徐々に変化させて移動しているように、細長開口に現れた指標が細長開口の周囲に示された数字のうち月齢に対応している部分を指し示す。これにより、円形開口に現れる月の満ち欠けの変化とその月の満ち欠けに対応した細長開口に現れる月齢とが同時に表示される。
【先行技術文献】
【特許文献】
【０００７】
【特許文献１】特許第４５５９３０８号公報
【発明の概要】
【発明が解決しようとする課題】
【０００８】
しかし、上述した特許文献１に提案されている月齢表示機構によれば、円形開口に現れる月の形状および細長開口に現れる指標の位置が徐々に変化していくように、明領域や暗領域、複数の指標の位置関係などを配置し、さらに、主回転と副回転とを組合せて板状体を回転させる必要があるため、構成が複雑になるという問題があった。
【０００９】
本発明は上記事情に鑑みなされたものであり、単純な構成により月の満ち欠けの変化と月齢とを同時に表示することのできる月齢表示機構を提供することを目的とするものである。
【課題を解決するための手段】
【００１０】
本発明に係る月齢表示機構は、互いに重ね合わされた第１の板状体と第２の板状体とを相対的に回転させることにより、第１の板状体に表示された月の絵柄と第２の板状体に形成された影部との重なり度合いを変化させて月の満ち欠けを表示するとともに、相対的な回転の中心と同心の円周上に配列された複数の指標のうち月の満ち欠けに対応した月齢を第２の板状体に形成された指示部が表示するものである。
【００１１】
すなわち、本発明に係る月齢表示機構は、互いに重ね合わされ、相対的に回転する第１の板状体と第２の板状体とを備え、前記第１の板状体には、その板面上において、月齢を表す複数の指標が、前記相対的な回転の中心と同心の円周状に配置されているとともに、単一の月の絵柄が表示され、前記第２の板状体には、前記相対的な回転に応じた重なり度合いの変化によって、前記月の絵柄の輪郭形状を変化させる影部と、前記複数の指標のうち前記月の絵柄の輪郭形状に対応した月齢の指標を示す指示部と、が形成されていることを特徴とする。
【００１２】
また、本発明に係る時計は、上述した本発明に係る月齢表示機構を備えたことを特徴とする。
【発明の効果】
【００１３】
本発明に係る月齢表示機構によれば、単純な構成により月の満ち欠けの変化と月齢とを同時に表示することができる。
【図面の簡単な説明】
【００１４】
【図１】本実施形態の月齢表示機構を備えた時計の外観を示す正面図である。
【図２】図１の月齢表示機構１の構成を説明する分解斜視図である。
【図３】月齢表示機構による表示を示す図であり、（ａ）は新月の状態、（ｂ）は新月の日から５日を経過した状態、（ｃ）は新月の日から１０日を経過した状態、（ｄ）は新月の日から１５日を経過した状態、（ｅ）は新月の日から２０日を経過した状態、（ｆ）は新月の日から２５日を経過した状態、（ｇ）は新月の日から約３０日を経過した状態、をそれぞれ示す。
【図４】変形例１の月齢表示機構の構成を説明する分解斜視図である。
【図５】変形例２の月齢表示機構の構成を説明する正面図である。
【発明を実施するための形態】
【００１５】
以下、図１〜図３に基づいて本発明の実施形態としての月齢表示機構１について説明する。
【００１６】
図１は、本実施形態の月齢表示機構１を備えた時計１００の外観を示す正面図であり、図２は、図１の月齢表示機構１の構成を説明する分解斜視図である。
［全体の概略構成］
本実施形態に係る時計１００は、図１に示すように、ケース２と、ケース２の内部に設けられた、時刻を示す時刻目盛り３が付された目盛り板４と、時針、分針および秒針などの指針５（時針６、分針７、秒針８）と、指針５を駆動させるムーブメント９（図示を省略）と、月齢を表示する月齢表示機構１と、を有している。
【００１７】
目盛り板４には、図２に示すように、開口１０が形成されている。この開口１０は、目盛り板４の板面の略中央部に形成された円形の開口１０ａと、１２時方向に形成され、開口１０ａより小さな半径の略半円形の開口１０ｂと、６時方向に形成され、開口１０ａより小さな半径の略半円形の開口１０ｃと、により構成されている。
【００１８】
そして、円形の開口１０ａの一部および略半円形の開口１０ｃから、この目盛り板４の背面側に設けられた月齢表示機構１を目視することができる。
［月齢表示機構の構成］
月齢表示機構１は、図２に示すように、目盛り板４の背面側に、上側文字板１１（第１の板状体）、月齢円板１２（第２の板状体）および下側文字板１３（第３の板状体）がこの順で重なって構成されている。
（上側文字板）
上側文字板１１は、その板面上であって６時方向に月齢表示部１４が設けられている。
【００１９】
この月齢表示部１４は、円形の窓部１５が設けられている。この窓部１５は、有色透明であっても無色透明であってもよく、この上側文字板１１の背面側に配置された月齢円板１２が透けて見えるような透明部材（例えば透明プラスチックなど）で形成されている。
【００２０】
また、この窓部１５には、月齢を表す複数の数字（指標）が、窓部１５の中心と同心の円周上に配置されている。なお、月齢を表す指標であれば、数字に限らず、文字や記号であってもよい。
【００２１】
具体的には、１２時方向から時計回りに、数字「０」、「５」、「１０」、「１５」、「２０」、「２５」が、角度３０度の間隔をあけて順に配置されている。また、６時方向に、単一の月の絵柄Ａが表示されている。
【００２２】
さらに、月の絵柄Ａから時計回りに角度約３０度の間隔で数字「５」、「１０」、「１５」、「２０」、「２５」が順に配置されている。
（月齢円板）
月齢円板１２は、上側文字板１１と互いに重ね合わされて、窓部１５の中心を通る中心軸Ｃ１を回転中心として、上側文字板１１と相対的に回転するように設けられている。
【００２３】
すなわち、月齢円板１２が、ムーブメント９により、２４時間経過毎に角度約６度の等角速度で時計回りに回転するように駆動されている。
【００２４】
また、月齢円板１２は、例えば透明プラスチック（透明部材）により成形された板上面に、上側文字板１１との相対的な回転に応じた重なり度合いの変化によって、月の絵柄Ａの輪郭形状（月相）を変化させる影部１６と、上側文字板１１の板上面に配置された複数の数字のうち月の絵柄Ａの輪郭形状に対応した月齢の指標を示す指示部１７と、が形成されている。
【００２５】
この影部１６は、月齢円板１２の板上面に、例えば灰色や黒色などの層を蒸着させることにより形成された第１の影部１６ａと第２の影部１６ｂとにより構成されている。これら第１の影部１６ａおよび第２の影部１６ｂはいずれも略円形であって、月の絵柄Ａよりも大きい径を有している。
【００２６】
指示部１７は、第１の影部１６ａと第２の影部１６ｂとのいずれか一方（図２では、第１の影部１６ａ）の一部に形成されている。この指示部１７は、上側文字板１１の板上面に配置された複数の数字のうちの１つを内部に現すことができるように（図１参照）、数字の大きさよりもわずかに大きい径を有する円形の開口により形成されている。
【００２７】
なお、本実施形態では、影部１６は第１の影部１６ａと第２の影部１６ｂとの２つの影部により構成されている場合について説明するが、月齢円板１２の等角速度回転により月の絵柄Ａと重なる面積を徐々に変化させながら回転するものであれば、この影部１６は１つまたは３つ以上の影部により構成されていてもよい。
（下側文字板）
下側文字板１３は、その板面上に、窓部１５と略同一の径を有し、中心軸Ｃ１を中心とする円形の下側板部１８が設けられている。この下側板部１８の一部には、月の絵柄Ａに重畳して月の絵柄Ａを装飾する立体的形状または線画による装飾部１９が形成されている。
【００２８】
この装飾部１９は、例えば鏡などのように光を反射する材質により形成されている。さらに、装飾部１９の中央部は表面側（月齢円板１２側）に向けて僅かに膨らむように形成されており、月の絵柄Ａが立体的に見えるように構成されている。
【００２９】
なお、上側文字板１１および月齢円板１２が透明部材により形成され、これら上側文字板１１および月齢円板１２の背面側に配置された下側文字板１３が透けて見えるため、月の絵柄Ａや月齢を表示する複数の数字は、必ずしも上側文字板１１に表示されている必要はなく、上側文字板１１または下側文字板１３の少なくとも一方に表示されていればよい。
【００３０】
次に、本実施形態の月齢表示機構１の作用について、図３を用いて説明する。
【００３１】
図３（ａ）は、月齢表示機構１が新月の状態を表示している図であり、図３（ｂ）〜（ｇ）は、それぞれ、月齢表示機構１が、新月の日から５日、１０日、１５日、２０日、２５日、約３０日を経過した状態を表示している図である。
（新月の日）
図３（ａ）に示すように、新月の日には、第２の影部１６ｂが月の絵柄Ａの全領域と重なり、装飾部１９は第２の影部１６ｂの背面に隠れて見えなくなる。また、このとき、第１の影部１６ａに形成された指示部１７の内部には、「０」の数字が現れている。
【００３２】
このように、全領域が第２の影部１６ｂと重なっている状態および指示部１７の内部に数字「０」が現れている状態を使用者が見ることにより、使用者は、その日が新月であることを確認することができる。
（新月の日から５日目）
そして、ムーブメント９により月齢円板１２が等角速度回転され、新月の日から約５日が経過すると、図３（ｂ）に示すように、第２の影部１６ｂが月の絵柄Ａから僅かにずれて、影部１６が重なっていない月の絵柄Ａの輪郭形状が三日月形状となる。また、このとき、三日月形状である月の絵柄Ａの部分には、背面側に配置された装飾部１９が重畳して目視されるため、この三日月形状が強調される。
【００３３】
さらに、指示部１７の内部には、「５」の数字が現れて、新月の日から５日経過したこと（月齢）を表している。
【００３４】
これは、実際に新月の日から約５日経過した日に地球から見ることのできる月の形状が三日月形状であることと一致しており、使用者は、その日が三日月であって、新月の日から約５日経過していることを確認することができる。
（新月の日から１０日目）
さらに、新月の日から約１０日が経過すると、図３（ｃ）に示すように、第２の影部１６ｂが月の絵柄Ａからさらにずれて、月の絵柄Ａの領域のうち影部１６が重なっていない領域の面積が大きくなる。そして、この領域は、背面側に配置された装飾部１９が重畳して目視されることにより強調される。
【００３５】
また、指示部１７の内部には、「１０」の数字が現れて、新月の日から１０日経過したこと（月齢）を表している。
【００３６】
これは、実際に新月の日から約１０日経過した日に地球から見ることのできる月の形状が、満月が僅かに欠けたような形状であることと一致しており、使用者は、その日に見ることのできる月の形状と、その日が新月の日から約１０日経過していることを確認することができる。
（新月の日から１５日目）
また、新月の日から約１５日が経過すると、図３（ｄ）に示すように、第２の影部１６ｂが月の絵柄Ａから離れ、影部１６が重なっていない月の絵柄Ａの輪郭が円形となる。そして、この円形領域は、背面側に配置された装飾部１９が重畳して目視されることにより強調される。
【００３７】
このとき、指示部１７の内部には、「１５」の数字が現れて、新月の日から１５日経過したこと（月齢）を表している。
【００３８】
これは、実際に新月の日から約１５日経過した日に地球から見ることのできる月が満月であることと一致しており、使用者は、その日が満月であって、新月の日から約１５日経過していることを確認することができる。
（新月の日から２０日目）
また、新月の日から約２０日が経過すると、図３（ｅ）に示すように、第１の影部１６ａが月の絵柄Ａに重なり、影部１６が重なっていない月の絵柄Ａの輪郭形状は、再び円形から僅かに欠けた形状となる。そして、このとき、指示部１７の内部には、「２０」の数字が現れる。
【００３９】
これにより、上記と同様に、使用者は、その日に見ることのできる月の形状と、その日が新月の日から約２０日経過していることを確認することができる。
（新月の日から２５日目）
さらに、新月の日から約２５日が経過すると、図３（ｆ）に示すように、第１の影部１６ａが月の絵柄Ａに重なる面積が大きくなり、影部１６が重なっていない月の絵柄Ａの輪郭形状は三日月形状となる。また、このとき、指示部１７の内部には、「２５」の数字が現れる。
【００４０】
これにより、上記と同様に、使用者は、その日に見ることのできる月の形状と、その日が新月の日から約２５日経過していることを確認することができる。
（新月の日から３０日目）
また、新月の日から約３０日が経過すると、図３（ｇ）に示すように、第１の影部１６ａが月の絵柄Ａの全領域と重なる。これにより、使用者は、その日が再び新月であることを確認することができる。
【００４１】
このように、約３０日をかけてこの月齢円板１２が等角度回転により１８０度回転することにより、月齢表示機構１は、新月の日から次の新月の日（新月の日から約３０日目）までの間の月の満ち欠けの変化および新月の日からの日数である月齢を表示する。
【００４２】
そして、月齢円板１２が等角度回転を繰り返し、さらに約３０日をかけて１８０度回転することにより、月齢表示機構１は、次の新月までの月の満ち欠けの変化および月齢を表示する。
【００４３】
このように構成された本実施形態に係る月齢表示機構１によれば、互いに重ね合わされた上側文字板１１と月齢円板１２とを中心軸Ｃ１を回転中心として相対的に等角速度回転で回転させることにより、上側文字板１１に表示された月の絵柄Ａと月齢円板１２に形成された影部１６との重なり度合いを徐々に変化させて月の満ち欠けを表示するとともに、中心軸Ｃ１と同心の円周上に配列された複数の数字（指標）のうち月の満ち欠けに対応した月齢を月齢円板１２に形成された指示部１７が表示するため、従来のように、複数の指標の位置関係を複雑に配置することや板状体を複雑に回転させることなく、単純な構成により月の満ち欠けの変化と月齢とを同時に表示することができる。
【００４４】
また、このように構成された本実施形態に係る月齢表示機構１によれば、上記のように、等角度回転によって月の絵柄Ａと影部１６との重なり度合いが徐々に変化させて月の満ち欠けを表示するため、実際に地球から見ることのできる月の形状が徐々に変形していく感覚に合致している。
【００４５】
さらに、指示部１７は、影部１６（本実施形態では第１の影部１６ａ）の一部に設けられているため、影部１６と指示部１７とを別体として設ける必要がなく、より単純構成であって部品点数を少なくすることができる。
【００４６】
また、指示部１７は開口によって形成され、上側文字板１１に表示された複数の数字のうち月の絵柄Ａの輪郭形状に対応した月齢の指標がこの開口の内部に現れるため、使用者は月齢を把握しやすい。
【００４７】
そして、上側文字板１１は透明部材により形成され、月齢円板１２は、上側文字板１１の背面側に配置されているため、使用者が表面側から月齢表示部１４を見たとき、月の絵柄Ａが常に表面側に現れているため、たとえ月の絵柄Ａの全領域に影部１６が重なっている場合であっても月の絵柄Ａを見つけることが容易である。
【００４８】
さらに、月の絵柄Ａに重畳して月の絵柄Ａを装飾する立体的形状または線画による装飾部１９が形成されている下側文字板１３を備えているため、月の絵柄Ａの領域のうち影部１６が重なっていない領域がこの装飾部１９によって強調されるため、月の満ち欠けの変化を把握しやすい。
【００４９】
また、このように構成された本実施形態に係る月齢表示機構１を備えている時計１００によれば、上記と同様の効果を得ることができる。
（変形例１）
図４は、変形例１の月齢表示機構１の構成を説明する分解斜視図である。
【００５０】
上述の実施形態では、上側文字板１１は透明部材により形成され、月齢円板１２が上側文字板１１の背面側に配置されている場合について説明したが、例えば、図４に示すように、月齢円板１２が上側文字板１１の上面側に配置されていてもよい。
【００５１】
このように構成された月齢表示機構１によれば、月の絵柄Ａのうち影部１６が重なっている領域は目視されず、影部１６が重なっていない領域のみが目視されるため、月の形状をより強調して表示することができる。
（変形例２）
図５は、変形例２の月齢表示機構１の構成を説明する正面図である。
【００５２】
上述の実施形態では、指示部１７が影部１６の一部に設けられた開口により形成されている場合について説明したが、例えば、図５に示すように、指示部１７が月齢円板１２に表示された矢印などであって、この矢印が月齢に対応する数字を指し示して月齢を表示するように構成してもよい。
【００５３】
このように構成された月齢表示機構１によれば、影部１６に開口を形成する必要がないため、月の絵柄Ａのうち影部１６が重なっていない領域についてのみ、背面側に配置された装飾部１９が重畳して目視されるため、使用者は月の形状をより把握しやすくなる。
【符号の説明】
【００５４】
１  月齢表示機構
１１  上側文字板（第１の板状体）
１２  月齢円板（第２の板状体）
１３  下側文字板（第３の板状体）
１６ａ  第１の影部（影部）
１６ｂ  第２の影部（影部）
１７  指示部
１９  装飾部
Ａ  月の絵柄
Ｃ１  中心軸
【図１】
0005539249.tif 000002
【図２】
0005539249.tif 000003
【図３】
0005539249.tif 000004
【図４】
0005539249.tif 000005
【図５】
0005539249.tif 000006